(57)【要約】  本発明は、イオンを質量分析器に伝達するイオンガイドに関し、本発明のイオンガイドは、イオンが進入する入口と、イオンを伝達する出口との間に、複数のＤＣリングと、複数の電極を有する複数のＲＦマルチポールリングとが互いに交差しながら配列されており、前記入口から出口への方向において、前記ＤＣリングの内径は一定に維持され、前記ＲＦマルチポールリングの内径は次第に減少することを特徴とする。【選択図】図２
2021524143.tif 000002
【特許請求の範囲】
【請求項１】
イオンを伝達するイオンガイドであって、
イオンが進入する入口と、イオンを伝達する出口との間に、複数のＤＣリングと、複数の電極を有する複数のＲＦマルチポールリングとが互いに交差しながら配列されており、
前記入口から出口への方向において、前記ＤＣリングの内径は一定に維持され、前記ＲＦマルチポールリングの内径は次第に減少することを特徴とする、イオンガイド。
【請求項２】
前記複数のＤＣリングと前記複数のＲＦマルチポールリングの各中心が一直線上に位置することを特徴とする、請求項１に記載のイオンガイド。
【請求項３】
前記ＲＦマルチポールリングの内径が一定の割合で減少することを特徴とする、請求項１に記載のイオンガイド。
【請求項４】
前記ＲＦマルチポールリングの複数の電極が互いに離間して配列されることでリングを形成することを特徴とする、請求項１に記載のイオンガイド。
【請求項５】
前記複数のＲＦマルチポールリングは、内径から外径までの距離が全て等しいことを特徴とする、請求項１に記載のイオンガイド。
【請求項６】
前記ＲＦマルチポールリングの隣り合う各電極に、振幅が同一で、且つ位相が異なるＲＦ電圧が加えられることを特徴とする、請求項１に記載のイオンガイド。
【請求項７】
隣接した前記ＤＣリングと前記ＲＦマルチポールリングには、互いに異なるＤＣバイアス電圧が加えられることを特徴とする、請求項１に記載のイオンガイド。
【請求項８】
イオンが進入する入口と、イオンを伝達する出口との間に、複数のＤＣリングと、複数の電極を有する複数のＲＦマルチポールリングとが互いに交差しながら配列されてイオンを伝達するイオンガイドであって、
前記入口から出口への方向において、前記ＤＣリングと前記ＲＦマルチポールリングの内径が全て次第に減少し、
前記ＲＦマルチポールリングの内径が減少する程度が、前記ＤＣリングの内径が減少する程度よりも大きいことを特徴とする、イオンガイド。
【請求項９】
イオンが進入する入口と、イオンを伝達する出口との間に、複数のＤＣリングと、複数の電極を有する複数のＲＦマルチポールリングとが互いに交差しながら配列されてイオンを伝達するイオンガイドであって、
前記入口から所定距離までは、前記ＤＣリングと前記ＲＦマルチポールリングの内径が全て等しい割合で減少し、
前記所定距離の後から前記出口までは、
前記ＤＣリングの内径は一定に維持され、前記ＲＦマルチポールリングの内径は次第に減少するか、
前記ＤＣリングと前記ＲＦマルチポールリングの内径が次第に減少し、前記ＲＦマルチポールリングの内径が減少する程度が、前記ＤＣリングの内径が減少する程度よりも大きいことを特徴とする、イオンガイド。
【請求項１０】
イオン化物質を放出するイオン化物質源と、
前記イオン化物質源から放出されるイオン化物質により試料のイオン化が行われるイオン化チャンバーと、
前記イオン化チャンバーによりイオン化された試料のイオンを次のイオン光学系に伝達する少なくとも１つ以上の真空チャンバーと、を含み、
前記真空チャンバーの内部には、請求項１に記載のイオンガイドが内蔵されていることを特徴とする、イオンソース。
【請求項１１】
前記イオン化チャンバーは、
前記イオン化チャンバーの出口方向に異なる電圧が加えられるＤＣ電極と、前記ＤＣ電極の間の絶縁体と、からなることを特徴とする、請求項１０に記載のイオンソース。
【請求項１２】
前記イオン化チャンバーの内部の圧力は、
前記イオン化チャンバーのすぐ次のイオン光学系に該当する第１真空チャンバーの内部の圧力より高く、且つ大気圧より低く形成されることを特徴とする、請求項１０に記載のイオンソース。
【請求項１３】
前記イオン化チャンバーの中心軸と、前記第１真空チャンバーの前記イオンガイドの中心軸は、所定の角度を成して傾斜して配置されるか、離間して配置されるか、若しくは離間し、且つ傾斜して配置されることを特徴とする、請求項１２に記載のイオンソース。
【請求項１４】
前記イオン化チャンバーの中心軸と、前記第１真空チャンバーの前記イオンガイドの中心軸とが成す角度が１０°〜１７０°であることを特徴とする、請求項１３に記載のイオンソース。
【請求項１５】
前記第１真空チャンバーの内部には、前記イオンガイドの入口側にイオンデフレクタが配置され、
前記イオンデフレクタと前記イオンガイドとの間に前記イオン化チャンバーの出口が配置されることを特徴とする、請求項１２に記載のイオンソース。
【請求項１６】
前記イオンソースは、
光イオン化（Ｐｈｏｔｏｉｏｎｉｚａｔｉｏｎ）イオンソース、化学イオン化（Ｃｈｅｍｉｃａｌ  Ｉｎｏｎｉｚａｔｉｏｎ）イオンソース、またはプロトン移動反応（Ｐｒｏｔｏｎ  Ｔｒａｎｓｆｅｒ  Ｒｅａｃｔｉｏｎ）イオンソースであることを特徴とする、請求項１０に記載のイオンソース。
【発明の詳細な説明】
【技術分野】
【０００１】
本発明は、質量分析器に関し、特に、質量分析器のためのイオンガイドおよびそれを用いたイオンソースに関する。
【背景技術】
【０００２】
質量分析法において、試料中の目標化合物成分をイオン化する方法として様々な方法が知られている。かかるイオン化法は、真空雰囲気でイオン化する方法と、略大気圧雰囲気でイオン化する方法とに大別され、後者は、一般に大気圧イオン化法（Ａｔｍｏｓｐｈｅｒｅ  Ｐｒｅｓｓｕｒｅ  ｉｏｎｉｚａｔｉｏｎ）またはアンビエントイオン化法（Ａｍｂｉｅｎｔ  Ｉｏｎｉｚａｔｉｏｎ）と総称され得る。
【０００３】
大気圧イオン化法を利用する質量分析器において、イオンソースから、質量分析器のある高真空のチャンバー内へイオンを効果的に送るための手段が必要である。そのために、圧力が次第に減少する多数の真空段階を含む真空系（ｖａｃｕｕｍ  ｓｙｓｔｅｍ）を利用することになる。
【０００４】
ところで、各真空段階から次の段階にイオンを効率的に送るためには、伝達効率の高いイオンガイドが必要である。特に、一番目の真空チャンバーに入る際に、イオンは空気の流れに沿って移動することになるが、空気は、一番目の真空段階で自由膨張し、イオンも多数の方向に散らばる。多数の方向に散らばったイオンを集め、次の真空段階へのイオンレンズを通過させるためには、イオンを効果的に集めるイオンガイドが必要である。特に、１段階の真空チャンバーの圧力である１ｔｏｒｒ程度の圧力範囲では、電気的放電が、真空や大気圧下に比べて低い電圧で起こるため、弱い電場でも作動する特別な形態のＲＦイオンガイドが必要である。
【０００５】
これに係り、韓国公開特許第２０１４−００２０１５２号公報には、複数のＤＣリングと、複数の電極を有する複数のＲＦマルチポールリングとが互いに交差しながら配列されている質量分析器用ＲＦ／ＤＣイオンガイドが開示されている。
【０００６】
図１は、従来のイオンガイドを示した図であって、ＤＣリング１１０´およびＲＦマルチポールリング１２０´が、全て内径が次第に減少する形態のイオンガイド１００´が開示されている。しかし、このような形態のイオンガイドは、ＲＦマルチポールリング１２０´から生成される電場が、ＲＦマルチポールリング１２０´の周りにのみ形成されるという欠点がある。
【０００７】
本発明者らは、上記のような欠点を補完し、イオンをより効果的に伝達することができるイオンガイドを開発するために鋭意研究した結果、本発明を完成するに至った。
【先行技術文献】
【特許文献】
【０００８】
【特許文献１】韓国公開特許第２０１４−００２０１５２号公報
【発明の概要】
【発明が解決しようとする課題】
【０００９】
本発明の目的は、従来のイオンガイドに比べて、イオンガイドの中心軸上にイオンが効果的に集まるようにすることで、イオンの伝達効率をより向上させるイオンガイドを提供することにある。
【００１０】
また、本発明の他の目的は、前記イオンガイドを用いてイオン化効率をより増大させることができるイオンソースを提供することにある。
【課題を解決するための手段】
【００１１】
上記のような課題を解決するために、本発明の一実施態様に係るイオンガイドは、イオンを効果的に伝達するイオンガイドであって、イオンが進入する入口と、イオンを伝達する出口との間に、複数のＤＣリングと、複数の電極を有する複数のＲＦマルチポールリングとが互いに交差しながら配列されており、前記入口から出口への方向において、前記ＤＣリングの内径は一定に維持され、前記ＲＦマルチポールリングの内径は次第に減少してもよい。
【００１２】
また、前記複数のＤＣリングと前記複数のＲＦマルチポールリングの各中心が一直線上に位置してもよい。
【００１３】
また、前記ＲＦマルチポールリングの内径が一定の割合で減少してもよい。
【００１４】
また、前記ＲＦマルチポールリングの複数の電極が互いに離間して配列されることでリングを形成してもよい。
【００１５】
また、前記複数のＲＦマルチポールリングは、内径から外径までの距離が全て等しく形成されてもよい。
【００１６】
また、前記ＲＦマルチポールリングの隣り合う各電極に、振幅が同一で、且つ位相が異なるＲＦ電圧が加えられてもよい。
【００１７】
また、隣接した前記ＤＣリングと前記ＲＦマルチポールリングには、互いに異なるＤＣバイアス電圧が加えられてもよい。
【００１８】
一方、本発明の他の実施態様に係るイオンガイドは、イオンが進入する入口と、イオンを伝達する出口との間に、複数のＤＣリングと、複数の電極を有する複数のＲＦマルチポールリングとが互いに交差しながら配列されてイオンを伝達するイオンガイドであって、前記入口から出口への方向において、前記ＤＣリングと前記ＲＦマルチポールリングの内径が全て次第に減少し、前記ＲＦマルチポールリングの内径が減少する程度が、前記ＤＣリングの内径が減少する程度よりも大きく形成されてもよい。
【００１９】
一方、本発明のさらに他の実施態様に係るイオンガイドは、イオンが進入する入口と、イオンを伝達する出口との間に、複数のＤＣリングと、複数の電極を有する複数のＲＦマルチポールリングとが互いに交差しながら配列されてイオンを伝達するイオンガイドであって、前記入口から所定距離までは、前記ＤＣリングと前記ＲＦマルチポールリングの内径が全て等しい割合で減少し、前記所定距離の後から前記出口までは、前記ＤＣリングの内径は一定に維持され、前記ＲＦマルチポールリングの内径は次第に減少するか、前記ＤＣリングと前記ＲＦマルチポールリングの内径が次第に減少し、前記ＲＦマルチポールリングの内径が減少する程度が、前記ＤＣリングの内径が減少する程度よりも大きく形成されてもよい。
【００２０】
一方、本発明の他の実施態様に係るイオンソースは、イオン化物質を放出するイオン化物質源と、前記イオン化物質源から放出されるイオン化物質により試料のイオン化が行われるイオン化チャンバーと、前記イオン化チャンバーによりイオン化された試料のイオンを次のイオン光学系に伝達する少なくとも１つ以上の真空チャンバーと、を含み、前記真空チャンバーの内部には、上述のイオンガイドのうち何れか１つが内蔵されていてもよい。
【００２１】
また、前記イオン化チャンバーは、前記イオン化チャンバーの入口から出口への方向に異なる電圧が加えられるＤＣ電極と、前記ＤＣ電極の間の絶縁体と、からなっていてもよい。
【００２２】
また、前記イオン化チャンバーの内部の圧力は、前記イオン化チャンバーのすぐ次のイオン光学系を内蔵する第１真空チャンバーの内部の圧力より高く、且つ大気圧より低く形成されてもよい。
【００２３】
また、前記イオン化チャンバーの中心軸と、前記第１真空チャンバーの前記イオンガイドの中心軸は、所定の角度を成して傾斜して配置されてもよい。
【００２４】
また、前記イオン化チャンバーの中心軸と、前記第１真空チャンバーの前記イオンガイドの中心軸とが成す角度は１０°〜１７０°であってもよい。
【００２５】
また、前記第１真空チャンバーの内部には、前記イオンガイドの反対側にイオンデフレクタが配置されており、前記イオンデフレクタと前記イオンガイドとの間に前記イオン化チャンバーの出口が配置されてもよい。
【００２６】
また、前記イオンソースは、光イオン化（Ｐｈｏｔｏｉｏｎｉｚａｔｉｏｎ）イオンソース、化学イオン化（Ｃｈｅｍｉｃａｌ  Ｉｎｏｎｉｚａｔｉｏｎ）イオンソース、またはプロトン移動反応（Ｐｒｏｔｏｎ  Ｔｒａｎｓｆｅｒ  Ｒｅａｃｔｉｏｎ）イオンソースであってもよい。
【発明の効果】
【００２７】
イオンソースから、質量分析器のある高真空のチャンバー内にイオンを効果的に送るためには、圧力が次第に減少する多数の真空段階を有する真空系を用いるインタフェースが必要である。本発明の課題の解決手段によると、かかるインタフェースのイオン伝達効率が高くなり、質量分析器の検出感度が向上するという優れた効果を発揮することができる。
【００２８】
特に、本発明のイオンガイドによると、ＲＦマルチポールリングの電極から遠く離れたイオンガイドの中心軸まで強い電場が形成され、イオンガイドの中心軸上にイオンをさらに効果的に集めることができ、これにより、イオンの伝達効率が向上するという優れた効果を発揮することができる。
【図面の簡単な説明】
【００２９】
【図１】従来のイオンガイドを示した図である。
【図２】本発明の一実施態様に係るイオンガイドの斜視図である。
【図３】本発明の一実施態様に係るイオンガイドの側断面と、ＤＣリングおよびＲＦマルチポールリングを示した例示図である。
【図４ａ】本発明の一実施態様に係るイオンガイドのＤＣリングとＲＦマルチポールリングの構成および回路連結を詳細に示した図である。
【図４ｂ】本発明の一実施態様に係るイオンガイドのＤＣリングとＲＦマルチポールリングの構成および回路連結を詳細に示した図である。
【図４ｃ】本発明の一実施態様に係るイオンガイドのＤＣリングとＲＦマルチポールリングの構成および回路連結を詳細に示した図である。
【図４ｄ】本発明の一実施態様に係るイオンガイドのＤＣリングとＲＦマルチポールリングの構成および回路連結を詳細に示した図である。
【図５】本発明の一実施態様に係るイオンガイドの回路構成の例を示した図である。
【図６ａ】従来のイオンガイドにより形成される電場を示した図である。
【図６ｂ】本発明の一実施態様に係るイオンガイドにより形成される電場を示した図である。
【図７ａ】本発明の他の実施態様に係るイオンガイドの斜視図である。
【図７ｂ】本発明の他の実施態様に係るイオンガイドの断面図である。
【図８ａ】本発明のさらに他の実施態様に係るイオンガイドの断面図である。
【図８ｂ】本発明のさらに他の実施態様に係るイオンガイドの断面図である。
【図９】本発明の他の実施態様に係るイオンソースの構成を概略的に示した図である。
【図１０】図９のイオン化物質源およびイオン化チャンバーを詳細に示した図である。
【発明を実施するための形態】
【００３０】
大気圧イオン化法を用いる質量分析器（ＡＰＩ−ＭＳ）は、イオンソースから、質量分析器のある真空へどれだけ効率的にイオンを伝達するかが、装備の分析性能を決定する主要要件となる。
【００３１】
つまり、イオンを伝達する効率が、質量分析器の検出限界を決定する重要な要素となる。現代のＡＰＩ−ＭＳは、圧力が漸次低くなる多数の真空段階を経る真空系を用いており、各真空段階でイオンガイドを用いる。本発明は、多数の角度で散乱するイオンを効果的に収集し、イオンのエネルギーを背景ガスとの衝突により低めることで、イオンをイオンガイドの中心軸上に集め、イオンを次の段階へ効率的に伝達する。
【００３２】
本発明に係るイオンガイドは、ＤＣリングとＲＦマルチポール（Ｍｕｌｔｉｐｏｌｅ）リング（低い厚さのリング状マルチポール電極）とが交互に積み重なった形状を有する。何れかのＲＦマルチポールリングにおいて、隣り合う電極には、振幅が同一であり、且つ位相が互いに１８０度異なるＲＦ電圧が加えられ、リングの内部でマルチポール電場が形成される。
【００３３】
この際、複数のＤＣリングは全て内径が等しく維持され、複数のＲＦマルチポールリングは、入口から出口への方向において、各ＲＦマルチポールリングの内径が次第に減少するように構成される。これにより、隣り合うＲＦマルチポールリングから形成されたＲＦマルチポール電場が、ＤＣリングの内部でもある程度維持されるとともに、イオンガイドの中心軸まで強い電場が形成されることができる。
【００３４】
また、隣接したＤＣリングとＲＦマルチポールリングとの間に異なるＤＣ電圧が加えられ、イオンガイド内で中心軸方向にＤＣ電場が形成される。ＤＣリングとマルチポール電極との間のＲＦ電場の効果と、半径方向のＲＦマルチポール電場の効果により、イオンがイオンガイドの中心軸に近く集まることとなり、イオンガイドの軸方向に形成されたＤＣ電場により、イオンがイオンガイドの軸方向に移動され、イオンガイドの次のイオン光学系に伝達される。
【００３５】
以下、添付図面を参照し、本発明の実施のための具体的な内容を説明する。また、本発明を説明するに際し、関連した公知機能において、この分野の技術者にとって自明な事項であって、本発明の要旨を不明瞭にし得ると判断される場合には、その詳細な説明を省略する。
【００３６】
図２は本発明の一実施態様に係るイオンガイドを示す。示されたように、本発明のイオンガイド１００は、中心軸Ｘに沿ってＤＣリング１１０、１１０、・・・とＲＦマルチポールリング１２０、１２０、・・・とが連なって交差配列されており、入口１０１から出口１０２への方向において、ＤＣリング１１０の内径は一定に維持され、ＲＦマルチポールリング１２０の内径は次第に減少する構造を有してもよい。
【００３７】
図３は、本発明に係るイオンガイドの側断面と、ＤＣリングおよびＲＦマルチポールリングをともに示したものであって、本発明のイオンガイド１００は、複数のＤＣリング１１０と複数のＲＦマルチポールリング１２０の各中心が一直線上に位置するように構成されてもよい。
【００３８】
本発明のイオンガイド１００は、複数のＤＣリング１１０の内径Ｒ１が中心軸Ｘに沿って全て等しく形成され、複数のＲＦマルチポールリング１２０の内径Ｒ２が中心軸Ｘに沿って次第に減少するように形成されてもよい。
【００３９】
ここで、本発明は、イオンガイド１００の各ＲＦマルチポールリング１２０の内径が入口１０１から出口１０２への方向に次第に小さくなる形態で形成されるものであれば何れであってもよいが、入口１０１から出口１０２への方向に、イオンガイド１００の各ＲＦマルチポールリング１２０の内径Ｒ２が一定の割合で減少するように構成されることが好ましい。
【００４０】
つまり、入口１０１に近接した順に、ＲＦマルチポールリング１２０を第１ＲＦマルチポールリング、第２ＲＦマルチポールリング、・・・、第ｎＲＦマルチポールリングとしたときに、本発明のイオンガイド１００は、第１ＲＦマルチポールリングの内径と第２ＲＦマルチポールリングの内径の割合が、第２ＲＦマルチポールリングの内径と第３ＲＦマルチポールリングの内径の割合とが等しく形成され、これが第ｎＲＦマルチポールリングまで同一に維持されるように形成されてもよい。
【００４１】
また、各ＲＦマルチポールリング１２０は、内径から外径までの距離が全て等しく形成されてもよい。すなわち、上述の第１ＲＦマルチポールリング〜第ｎＲＦマルチポールリングの内径から外径までの距離が全て等しく形成されてもよい。
【００４２】
図４は、イオンガイド１００を構成するＤＣリング１１０とＲＦマルチポールリング１２０をより詳細に示す。図４ａは１個のＤＣリング１１０の形態を示し、図４ｂは１個のＲＦマルチポールリング１２０の形態を示す。図４ｂに示されたように、ＲＦマルチポールリング１２０は、４個の分割電極１２０ａ、１２０ｂ、１２０ｃ、１２０ｄがリング状を成すことになる。
【００４３】
また、図４ｃに示されたように、ＤＣリング１１０にはＤＣ電圧が加えられ、図４ｄに示されたように、ＲＦマルチポールリング１２０の各電極１２０ａ、１２０ｂ、１２０ｃ、１２０ｄの隣接した電極には、振幅は同一であるが、位相が異なる電圧が加えられ、且つ同一のＤＣ電圧が重なって加えられる。すなわち、ＲＦマルチポールリング１２０の隣り合う各電極には、振幅は同一であるが、異なる位相のＲＦ電圧が加えられ、リングの内部でＲＦマルチポール電場が形成される。
【００４４】
イオンガイド１００に印加される電圧は、図５に示されたように、ＤＣ分圧電気回路および交流蓄電器の並列接続、ＤＣおよびＲＦ電源装置により加えられることができる。隣り合うマルチポール電極１２０ａ、１２０ｂ、１２０ｃ、１２０ｄにおいて、位相が同一である電極（例えば、１２０ａと１２０ｃ、１２０ｂと１２０ｄ）は同一の半径方向に配置される。
【００４５】
ＤＣ分圧電気回路により、異なる電圧が各リングに加えられ、リングのＤＣ電圧差により、イオンガイド１００の内部で中心軸Ｘの方向にＤＣ電場が生じる。本発明によると、隣接したＤＣリング１１０とＲＦマルチポールリング１２０には互いに異なるＤＣバイアス電圧が加えられ、リング配列構造の内部で中心軸Ｘの方向にＤＣ電場が形成されることで、イオンを中心軸Ｘの方向に移動させることができる。
【００４６】
図６は、従来のイオンガイドにより形成される電場（図６ａ）および本発明の一実施態様に係るイオンガイドにより形成される電場（図６ｂ）を示す。
【００４７】
図６に示されたように、従来のイオンガイド１００´、すなわち、ＤＣリング１１０´とＲＦマルチポールリング１２０´の内径が全て次第に減少する形態のイオンガイドは、電場がＲＦマルチポールリングの周りにのみ強く形成されるが（図６ａ）、本発明に係るイオンガイド１００によると、隣り合うＲＦマルチポールリング１２０から形成されたマルチポール電場がＤＣリング１１０の内部でもある程度維持されるとともに、ＲＦマルチポールリング１２０から遠く離れたイオンガイドの中心軸Ｘまで強い電場が形成され、イオンガイド１００の中心軸Ｘ上にイオンをさらに効果的に集めることができる（図６ｂ）。
【００４８】
また、入口１０１が出口１０２に比べて大きく形成されるため、多数の方向に散乱するイオンを入口１０１で容易に収集することができ、出口１０２が狭く形成されるため、イオンを所望のところに効率的に伝達することができる。
【００４９】
一方、図７は、本発明の他の実施態様に係るイオンガイドの斜視図（図７ａ）および断面図（図７ｂ）であって、本発明の他の実施態様に係るイオンガイド１００は、上述の本発明の一実施態様に係るイオンガイド１００と異なって、入口１０１から出口１０２への方向において、ＤＣリング１１０の内径が一定に維持されるのではなく、ＤＣリング１１０の内径も次第に減少し、この際、ＲＦマルチポールリング１２０の内径が減少する程度が、ＤＣリング１００の内径が減少する程度よりも大きく形成されることができる。
【００５０】
また、図８は、本発明のさらに他の実施態様に係るイオンガイドの断面図である。本発明のさらに他の実施態様に係るイオンガイド１００は、入口１０１から所定距離Ｓまでは、ＤＣリング１１０とＲＦマルチポールリング１２０の内径が全て等しい割合で減少するように形成される。そして、所定距離Ｓの後から出口１０２までは、上述の本発明の一実施態様に係るイオンガイド１００と同様に、ＤＣリング１１０の内径は一定に維持され、ＲＦマルチポールリング１２０の内径は次第に減少するように形成されるか（図８ａ）、上述の本発明の他の実施態様に係るイオンガイド１００と同様に、ＤＣリング１１０とＲＦマルチポールリング１２０の内径が次第に減少し、この際、ＲＦマルチポールリング１２０の内径が減少する程度が、ＤＣリング１１０の内径が減少する程度よりも大きく形成されることができる（図８ｂ）。
【００５１】
ここで、本発明のイオンガイドはイオンガイドの入口１０１がＤＣリング１１０から始まり、イオンガイドの出口１０２がＲＦマルチポールリング１２０で終わるように配置することが好ましい。
【００５２】
上述の本発明の他の実施態様に係るイオンガイドおよびさらに他の実施態様に係るイオンガイドは、本発明において多様に変形可能なイオンガイドの変形例の幾つかの具体的な変形例を示したものである。上述の本発明の他の実施態様に係るイオンガイドおよびさらに他の実施態様に係るイオンガイドも、隣り合うＲＦマルチポールリング１２０から形成されたマルチポール電場が、ＤＣリング１１０の内部でもある程度維持されるとともに、ＲＦマルチポールリング１２０から遠く離れたイオンガイドの中心軸Ｘまで強い電場が形成され、イオンガイド１００の中心軸Ｘ上にイオンをより効果的に集めることができる。
【００５３】
また、入口１０１が出口１０２に比べて大きく形成されるため、様々な方向に散乱するイオンを入口１０１で容易に収集することができ、出口１０２が狭く形成されるため、イオンを所望のところに効率的に伝達することができる。
【００５４】
一方、本明細書で示されたＤＣリング１１０とＲＦマルチポールリング１２０は円形のリング状であるが、楕円や多角形の多様な幾何学的形態を有してもよい。
【００５５】
また、本明細書で示されたＤＣリング１１０およびＲＦマルチポールリング１２０は、その厚さが一定であると示されているが、これに限定されず、各ＤＣリング１１０とＲＦマルチポールリング１２０の厚さは、次第に薄くまたは厚くなってもよい。
【００５６】
また、本明細書で示されたＲＦマルチポールリング１２０は４個の電極を有すると示されているが、複数の電極であればよく、好ましくは、２、４、６、８個以上の複数の電極であることが望ましい。
【００５７】
また、本明細書で示されたイオンガイド１００を構成するＤＣリング１１０とＲＦマルチポールリング１２０は、何ら媒介物なしに互いに離間して設けられている構造であると示されているが、絶縁体で密封されているか、または絶縁体を媒介として互いに連結されている構造を有してもよい。
【００５８】
以下では、本発明に係るイオンガイド１００が内蔵されたイオンソース１について説明する。
【００５９】
図９は、本発明の他の実施態様に係るイオンソース（あるいは、イオンソース）の構成を概略的に示した図であり、図１０は、イオンソースのイオン化チャンバーを詳細に示した図である。
【００６０】
本発明に係るイオンソース１は、イオン化物質を放出するイオン化物質源１０と、試料のイオン化が行われるイオン化チャンバー２０と、少なくとも１つ以上の真空チャンバー３０と、を含んで構成されてもよい。
【００６１】
イオン化物質は、後述のように、本発明のイオン化ソース１が光イオン化イオンソースである場合には光（ｐｈｏｔｏｎ）であり、化学イオン化イオンソースである場合には試薬（ｒｅａｇｅｎｔ）の一次イオン（ｐｒｉｍａｒｙ  ｉｏｎ）であり、プロトン移動反応イオンソースである場合にはプロトン（ｐｒｏｔｏｎ）を伝達できる一次イオンであってもよく、この際、イオン化物質源１０は、前記各種類のイオン化物質を放出する公知の機器または装置であってもよい。
【００６２】
イオン化チャンバー２０は、ＤＣ電極と、それらの間の絶縁体と、からなり、前記ＤＣ電極は、ＤＣ分圧電気回路（不図示）によりイオン化チャンバーの出口２３の方向に異なる電圧が加えられることで、電圧差によってイオン化チャンバー２０の内部でＤＣ電場が形成されることができる。
【００６３】
真空チャンバー３０内には上述の本発明のイオンガイド１００が内蔵されており、真空チャンバー３０内のイオンガイド１００は、イオン化チャンバーの出口２３から真空チャンバー３０内に流入されたガス雰囲気下で作動する。
【００６４】
以下、本明細書において、イオン化チャンバー２０のすぐ次のイオン光学系に該当する真空チャンバー３０を第１真空チャンバー３０−１と称して説明する。
【００６５】
図１０に示されたように、本発明のイオンソース１は、イオン化チャンバー２０に試料注入口２１および補助ガス注入口２２がある。分析しようとする試料が試料注入口２１を介して注入されてイオン化チャンバー２０内に移動し、イオン化チャンバー２０内で、イオン化物質源１０から放出されたイオン化物質と反応してイオン化される。
【００６６】
イオン化チャンバー２０の補助ガス注入口２２を介して注入される補助ガスは、イオン化チャンバーの圧力を調節することで、試料のイオン化効率を調節する目的で用いられる。
【００６７】
本発明によると、分析しようとする試料をイオン化チャンバーの出口２３の方から出口の反対側に注入し、試料がイオン化チャンバー２０で長く留まるようにすることでイオン化効率を高め、イオン化された試料イオンを、イオン化チャンバー２０内のＤＣ電場を利用してイオン化チャンバーの出口２３の方に移動させることでイオンの放出効率を高めることができる。
【００６８】
イオン化チャンバーの出口２３を経て第１真空チャンバー３０−１に移動された試料イオンは、第１真空チャンバー３０−１内のイオンガイド１００により収集され、イオンガイド１００の中心軸Ｘの周りに集められてから、次のイオン光学系に伝達される。
【００６９】
この際、第１真空チャンバー３０−１の次のイオン光学系は、イオンソース１が多段階真空系から構成される場合には第２真空チャンバー３０−２であり、イオンソース１が単一真空系から構成される場合には、質量分析器２００のある真空チャンバーであってもよい。
【００７０】
ここで、本発明に係るイオンソース１は、イオン化チャンバー２０の内部の圧力が、大気圧より低く、且つ第１真空チャンバー３０−１の圧力より高いように形成されることができる。一例として、イオン化チャンバー２０内の圧力は約１０ｔｏｒｒで形成され、第１真空チャンバー３０−１の圧力は約１ｔｏｒｒで形成されることができる。但し、これに限定されるものではなく、イオン化チャンバー２０内の圧力が第１真空チャンバー３０−１内の圧力に比べて約３倍以上となるように形成されることもできる。
【００７１】
このように、イオン化チャンバー２０内の圧力が第１真空チャンバー３０−１の真空圧力より高く形成されるため、ガスがイオン化チャンバー２０内で留まる時間が、真空チャンバー３０−１内で留まる時間より増加することとなり、試料のイオン化効率が増加し、試料イオンの加速が少ないため試料イオンの断片化が少なく起こる。
【００７２】
また、イオン化チャンバー２０内の圧力が大気圧より低く形成されるため、大気圧下で試料をイオン化する場合に比べて、イオン化チャンバー２０から第１真空チャンバー３０−１に伝達される中性ガス分子の量が減ることになるため、第１真空チャンバー３０−１に小さい容量のポンプを適用可能である。
【００７３】
一方、図９に示されたように、本発明に係るイオンソース１は、イオン化チャンバー２０の中心軸Ｙと、イオンガイド１００の中心軸Ｘとが所定の角度を成して傾斜するように配置されてもよい。
【００７４】
つまり、イオン化チャンバー２０の中心軸Ｙとイオンガイド１００の中心軸Ｘとが同一線上に形成されるように配置するのではなく、斜めに傾斜させて配置することで、イオン化チャンバーの出口２３から放出されるガスが、次のイオン光学系に移送されることを最小化することができる。
【００７５】
この際、イオン化チャンバー２０の中心軸Ｙとイオンガイド１００の中心軸Ｘとが成す角は、１０〜１７０°であってもよく、好ましくは、イオン化チャンバー２０の中心軸Ｙとイオンガイド１００の中心軸Ｘとが互いに垂直するように形成されてもよいが、これに限定されるものではない。
【００７６】
この場合、第１真空チャンバー３０−１内にイオンガイド１００が配置された側の反対側にイオンデフレクタ（Ｉｏｎ  Ｄｅｆｌｅｃｔｏｒ）３００を配置し、イオンデフレクタ３００とイオンガイド１００との間にイオン化チャンバーの出口２３が配置されるようにしてもよい。
【００７７】
イオンデフレクタ３００により、イオン化チャンバー２０から放出されて第１真空チャンバー３０−１内で多数の方向に散乱するイオンの進行方向を変え、イオンガイド１００に送ることができることになるため、イオンガイド１００によるイオン収集効率が増加し、質量分析器の全体のイオン検出感度が増加する。
【００７８】
さらに、本発明に係るイオンソース１は、光イオン化（Ｐｈｏｔｏｉｏｎｉｚａｔｉｏｎ：ＰＩ）イオンソース、化学イオン化（Ｃｈｅｍｉｃａｌ  Ｉｏｎｉｚａｔｉｏｎ：ＣＩ）イオンソース、またはプロトン移動反応（Ｐｒｏｔｏｎ  Ｔｒａｎｓｆｅｒ  Ｒｅａｃｔｉｏｎ：ＰＴＲ）イオンソースから構成されてもよい。
【００７９】
本発明は、上述のように、イオン化チャンバー２０内の圧力が真空よりも高く形成されることができるため、特に、イオンソース１がＰＩイオンソースである場合、光イオン化過程で発生する試料イオンと中性ガス分子や自由電子との衝突による試料イオンの断片化現象を低減することができる。
【００８０】
以上、特定事項と、限定された実施態様および図面により本発明が説明されたが、これは、本発明のより全般的な理解のために提供されたものにすぎず、本発明は上記の実施態様に限定されるものではなく、本発明が属する分野において通常の知識を有する者であれば、かかる記載から多様な修正および変形が可能である。
【００８１】
したがって、本発明の思想は、説明された実施態様に限定して決まってはならず、添付の特許請求の範囲だけでなく、この特許請求の範囲と均等または等価的変形のある全てのものなどは、本発明の思想の範疇に属するといえる。
【符号の説明】
【００８２】
１００  イオンガイド
１０１  イオンガイドの入口
１０２  イオンガイドの出口
１１０  ＤＣリング
１２０  ＲＦマルチポールリング
１２０ａ、１２０ｂ、１２０ｃ、１２０ｄ  ＲＦマルチポールリングの各分割電極
１  イオンソース
１０  イオン化物質源
２０  イオン化チャンバー
２１  試料注入口
２２  補助ガス注入口
２３  イオン化チャンバーの出口
３０  真空チャンバー
２００  質量分析器
３００  イオンデフレクタ
【図１】
2021524143.tif 000003
【図２】
2021524143.tif 000004
【図３】
2021524143.tif 000005
【図４ａ】
2021524143.tif 000006
【図４ｂ】
2021524143.tif 000007
【図４ｃ】
2021524143.tif 000008
【図４ｄ】
2021524143.tif 000009
【図５】
2021524143.tif 000010
【図６ａ】
2021524143.tif 000011
【図６ｂ】
2021524143.tif 000012
【図７ａ】
2021524143.tif 000013
【図７ｂ】
2021524143.tif 000014
【図８ａ】
2021524143.tif 000015
【図８ｂ】
2021524143.tif 000016
【図９】
2021524143.tif 000017
【図１０】
2021524143.tif 000018
【国際調査報告】
2021524143.tif 000019
2021524143.tif 000020
2021524143.tif 000021
2021524143.tif 000022